(57)【特許請求の範囲】
【請求項１】
第１の電気的配線を伴う第１の基板と、
第２の電気的配線を伴う第２の基板と、
前記第１の基板の前記第１の電気的配線に電気的に結合するように構成され、前記第２の基板の前記第２の電気的配線に電気的に結合するように構成される、複数の内側配線と、
前記複数の内側配線を取り囲む連続的な外側配線であって、グラウンドへの電気的接続を提供するように構成され、前記複数の内側配線の上面と前記外側配線の上面が同一平面にあり、前記複数の内側配線の下面と前記外側配線の下面が同一平面にある、外側配線と、
前記第１の基板と前記第２の基板との間に位置するダイと、
前記ダイを前記第１の電気的配線に電気的に結合するように構成される複数のはんだボールと、
前記第１の基板と前記第２の基板との間の空間を埋めるモールドとを備え、
前記モールドが、少なくとも部分的に、前記ダイ、前記複数のはんだボール、および前記外側配線を封入し、
第１のパッケージが、前記第１の基板、前記複数の内側配線、前記外側配線、前記ダイ、前記複数のはんだボール及び前記モールドを備え、第２のパッケージが、前記第２の基板を備え、前記第１のパッケージと前記第２のパッケージが直接接続される、集積デバイス。
【請求項２】
前記外側配線がプレートを備える、請求項１に記載の集積デバイス。
【請求項３】
前記内側配線と前記外側配線との間に誘電材料をさらに備える、請求項１に記載の集積デバイス。
【請求項４】
前記内側配線が、電源信号のための電気的経路を第１の方向に提供するように構成される、請求項１に記載の集積デバイス。
【請求項５】
前記外側配線が、グラウンド信号のための電気的経路を第２の方向に提供するように構成される、請求項４に記載の集積デバイス。
【請求項６】
前記内側配線が、少なくともメッキされた配線および／またはワイヤボンドの１つである、請求項１に記載の集積デバイス。
【請求項７】
少なくともインターポーザ、パッケージデバイス、および／またはパッケージオンパッケージ（ＰｏＰ）デバイスの１つを備える、請求項１に記載の集積デバイス。
【請求項８】
音楽プレーヤ、ビデオプレーヤ、エンターテイメントユニット、ナビゲーションデバイス、通信デバイス、モバイルデバイス、携帯電話、スマートフォン、携帯情報端末、固定位置端末、タブレットコンピュータ、および／またはラップトップコンピュータの少なくとも１つに組み込まれる、請求項１に記載の集積デバイス。
【請求項９】
集積デバイスを製造する方法であって、
第１の電気的配線を伴う第１の基板を形成するステップと、
第２の電気的配線を伴う第２の基板を形成するステップと、
複数のはんだボールをダイに結合するステップと、
前記第１の基板の前記第１の電気的配線に複数の内側配線を電気的に結合するように構成され、前記第２の基板の前記第２の電気的配線に前記複数の内側配線を電気的に結合するように構成される、前記複数の内側配線を形成するステップと、
前記複数の内側配線を取り囲むように構成され、グラウンドへの電気的接続を提供するように構成される、連続的な外側配線を形成するステップであって、前記複数の内側配線の上面と前記外側配線の上面が同一平面にあり、前記複数の内側配線の下面と前記外側配線の下面が同一平面にある、ステップと、
前記第１の基板と前記第２の基板との間の空間の中のモールドを形成し、前記ダイ、前記複数のはんだボール、および前記外側配線を少なくとも部分的に前記モールド内に封入するステップとを備え、
第１のパッケージが、前記第１の基板、前記複数の内側配線、前記外側配線、前記ダイ、前記複数のはんだボール及び前記モールドを備え、第２のパッケージが、前記第２の基板を備え、前記第１のパッケージと前記第２のパッケージが直接接続される、方法。
【請求項１０】
前記第１の基板の上に前記内側配線を前記形成するステップが、前記第１の基板の上に前記内側配線をメッキするステップを備える、請求項９に記載の方法。
【請求項１１】
前記第１の基板の上に前記内側配線を前記形成するステップが、前記第１の基板の上に前記内側配線をワイヤボンディングするステップを備える、請求項９に記載の方法。
【請求項１２】
前記外側配線がプレートを備える、請求項９に記載の方法。
【請求項１３】
前記内側配線と前記外側配線との間に誘電層を形成するステップをさらに備える、請求項９に記載の方法。
【請求項１４】
前記内側配線が、電源信号のための電気的経路を第１の方向に提供するように構成される、請求項９に記載の方法。
【請求項１５】
前記外側配線が、グラウンド信号のための電気的経路を第２の方向に提供するように構成される、請求項１４に記載の方法。
【発明の詳細な説明】
【技術分野】
【０００１】
関連出願の相互参照
本出願は、その内容の全体が参照より本明細書に組み込まれている、２０１４年７月１１日に米国特許商標庁に出願された米国非仮出願第１４／３２９，６４６号の優先権および利益を主張するものである。
【０００２】
様々な特徴は全般に集積デバイスに関し、より詳細には、別の配線を取り囲みグラウンドへの接続を提供する配線を含む集積デバイスに関する。
【背景技術】
【０００３】
図１は、従来の集積デバイス１００（たとえば、パッケージオンパッケージ（ＰｏＰ）集積デバイス）の第１の断面図を示す。従来の集積デバイス１００は、第１のパッケージ１０２および第２のパッケージ１０４を含む。第１のパッケージ１０２は、第１の基板１０６と、第１のダイ１０８と、はんだボールの第１のセット１１０と、配線の第１のセット１１２とを含み得る。はんだボールの第１のセット１１０は、第１の基板１０６を第１のダイ１０８に電気的に接続し得る。第１の基板１０６は、電気的配線１１４と誘電層１１６とを含み得る。電気的配線１１４は、第１の基板１０６全体を水平方向および／または垂直方向に横断し、第１の基板１０６と接触する様々な構成要素を電気的に接続し得る。たとえば、電気的配線１１４は、１つまたは複数のはんだボール１１０を１つまたは複数の配線１１２に電気的に接続し得る。電気的配線１１４は、誘電層１１６によって（少なくとも）部分的に取り囲まれ得る。
【０００４】
第２のパッケージ１０４は、第２の基板１１８と、第２のダイ１２０と、はんだボールの第２のセット１２２とを含み得る。はんだボールの第２のセット１２２は、第２の基板１１８を第２のダイ１２０に電気的に接続し得る。第２の基板１１８は、電気的配線１２４と誘電層１２８とを含み得る。第１の基板１０６と第２の基板１１８との間の空間の任意の部分に、モールド１２４が存在し得る。たとえば、モールド１２４は、配線の第１のセット１１２、はんだボールの第１のセット１１０、および／または第１のダイ１０８の（少なくとも）一部分を封入し得る。
【０００５】
配線の第１のセット１１２は、第１の基板１０６を第２の基板１１８に電気的に接続し得る。各配線１１２は、電源信号またはグラウンド信号（たとえば、グラウンドに接続された信号）を伝え得る。
【０００６】
図２は、従来の集積デバイス１００の第２の断面図である。図２に示される第２の断面図は、図１の線１２６に沿ったものである。図２に示されるように、いくつかの（たとえば、８本の）配線（たとえば、配線１１２１−８）が、第１の基板１０６を第２の基板１１８に電気的に接続し得る。しかしながら、そのような設計には制約がある。電源信号を伝えるいずれの２本の配線も、グラウンド信号を伝える少なくとも１本の配線によって分離されなければならない。そうでなければ、電源信号が互いに干渉することがあり、それによって、挿入損失および／または絶縁が許容できないレベルになることがある。図２に示される８本の配線１１２１−８のうちで、４本の交互の配線（たとえば、配線１１２１、１１２３、１１２５、１１２７）が電源信号を伝え得るが、他の４本の交互の配線（たとえば、１１２２、１１２４、１１２６、１１２８）がグラウンド信号を伝え得る。そのような設計では、電源信号がすべての配線１１２（たとえば、配線１１２１−８のすべて）を通って送信されることが可能ではない。たとえば、第１の基板１０６と第２の基板１１８との間で４つよりも多くの電源信号接続が必要とされる場合、（すでに図２に示されている８本の配線１１２１−８以外に）追加の配線１１２が追加されなければならない。追加の配線は、望ましくないことに、従来の集積デバイス１００全体のサイズを拡大させる。したがって、既存の設計は、電源信号がすべての配線を通って伝えられることを可能にしながら、絶縁および／または挿入損失を許容可能なレベルに維持するような改善から、利益を受け得る。
【発明の概要】
【課題を解決するための手段】
【０００７】
以下は、本開示の１つまたは複数の例および／または態様の簡略化された概要を、そのような態様の基本的な理解をもたらすように提示する。この要約は、本開示のすべての企図された特徴についての広範囲にわたる概説ではなく、また、本開示のすべての態様についての手がかりまたは重要な要素を特定することを意図したものでも、あるいは本開示の何らかの態様またはすべての態様の範囲を詳細に記述することを意図したものでもない。この要約の唯一の目的は、後で示されるより詳細な説明に対する序文として、本開示の１つまたは複数の態様のいくつかの概念を単純な形態で提供することである。
【０００８】
本明細書で説明される様々な特徴、装置、および方法は、基板と、基板に結合された第１の配線と、第１の配線を取り囲みグラウンドへの電気的接続を提供するように構成される第２の配線とを含む、集積デバイスを提供する。
【０００９】
第１の例は、基板と、基板に結合された第１の配線と、第１の配線を取り囲みグラウンドへの電気的接続を提供するように構成される第２の配線とを含む、集積デバイスを提供する。いくつかの態様によれば、第２の配線はプレートを含む。いくつかの態様によれば、集積デバイスは、第１の配線と第２の配線との間に誘電材料を含む。いくつかの態様によれば、モールドが第２の配線を取り囲む。いくつかの態様によれば、第１の配線は、電源信号を第１の方向に伝えるように構成される。いくつかの態様によれば、第２の配線は、グラウンド信号を第２の方向に伝えるように構成される。いくつかの態様によれば、第２の方向は第１の方向と異なる。いくつかの態様によれば、集積デバイスは、少なくともインターポーザ、パッケージデバイス、および／またはＰｏＰデバイスの１つを含む。いくつかの態様によれば、集積デバイスは、音楽プレーヤ、ビデオプレーヤ、娯楽ユニット、ナビゲーションデバイス、通信デバイス、モバイルデバイス、携帯電話、スマートフォン、携帯情報端末、固定位置端末、タブレットコンピュータ、および／またはラップトップコンピュータの少なくとも１つに組み込まれる。
【００１０】
第２の例は、基板と、基板に結合された第１の配線と、第１の配線を取り囲みグラウンドへの電気的接続を提供するように構成される第２の配線とを含む、装置を提供する。いくつかの態様によれば、第２の配線はプレートを含む。いくつかの態様によれば、装置は、第１の配線と第２の配線との間に誘電材料を含む。いくつかの態様によれば、モールドが第２の配線を取り囲む。いくつかの態様によれば、第１の配線は、電源信号を第１の方向に伝えるように構成される。いくつかの態様によれば、第２の配線は、グラウンド信号を第２の方向に伝えるように構成される。いくつかの態様によれば、第２の方向は第１の方向と異なる。いくつかの態様によれば、装置は、少なくともインターポーザ、パッケージデバイス、および／またはＰｏＰデバイスの１つを含む。いくつかの態様によれば、装置は、音楽プレーヤ、ビデオプレーヤ、娯楽ユニット、ナビゲーションデバイス、通信デバイス、モバイルデバイス、携帯電話、スマートフォン、携帯情報端末、固定位置端末、タブレットコンピュータ、および／またはラップトップコンピュータの少なくとも１つに組み込まれる。
【００１１】
第３の例は、基板の上に第１の配線を設けるステップと、基板の上に第２の配線を設けるステップとを含む方法を提供し、第２の基板は、第１の基板を取り囲み、グラウンドへの電気的接続を提供するように構成される。いくつかの態様によれば、第２の配線はプレートを含む。いくつかの態様によれば、集積デバイスは、第１の配線と第２の配線との間に誘電材料を含む。いくつかの態様によれば、モールドが第２の配線を取り囲む。いくつかの態様によれば、第１の配線は、電源信号を第１の方向に伝えるように構成される。いくつかの態様によれば、第２の配線は、グラウンド信号を第２の方向に伝えるように構成される。いくつかの態様によれば、第２の方向は第１の方向と異なる。いくつかの態様によれば、集積デバイスは、少なくともインターポーザ、パッケージデバイス、および／またはＰｏＰデバイスの１つを含む。いくつかの態様によれば、集積デバイスは、音楽プレーヤ、ビデオプレーヤ、娯楽ユニット、ナビゲーションデバイス、通信デバイス、モバイルデバイス、携帯電話、スマートフォン、携帯情報端末、固定位置端末、タブレットコンピュータ、および／またはラップトップコンピュータの少なくとも１つに組み込まれる。
【００１２】
本開示のこれらおよび他の例および／または態様は、以下の詳細な説明を検討することによってより完全に理解されるようになるであろう。添付図面とともに本開示の特定の例示的実施形態の以下の説明を検討すれば、本開示の他の態様、特徴、および実施形態が当業者に明らかになろう。
【００１３】
同様の参照符号が全体を通じて対応するものを特定する図面と併せて読まれると、以下に記載される詳細な説明から、種々の特徴、性質、および利点が明らかになり得る。
【図面の簡単な説明】
【００１４】
【図１】従来の集積デバイスの第１の断面図である。
【図２】従来の集積デバイスの第２の断面図である。
【図３】第１の例示的な集積デバイスの断面図である。
【図４】第１の例示的な集積デバイスにおける例示的な同軸接続の側面透視図である。
【図５】第２の例示的な集積デバイスの断面図である。
【図６】第２の例示的な集積デバイスにおける例示的な同軸接続の側面透視図である。
【図７Ａ】例示的な同軸接続のある態様の図である。
【図７Ｂ】例示的な同軸接続のある態様の図である。
【図７Ｃ】例示的な同軸接続のある態様の図である。
【図７Ｄ】例示的な同軸接続のある態様の図である。
【図８】第１の例示的な集積デバイスにおける例示的な同軸接続を提供／製造するための第１の例示的なシーケンスを示す図である。
【図９】第１の例示的な集積デバイスを提供／製造するための例示的なシーケンスを示す図である。
【図１０】第１の例示的な集積デバイスの上からの断面図である。
【図１１】第２の例示的な集積デバイスの上からの断面図である。
【図１２】第３の例示的な集積デバイスにおける例示的な同軸接続を提供／製造するための例示的なシーケンスを示す図である。
【図１３】第３の例示的な集積デバイスを提供／製造するための例示的なシーケンスを示す図である。
【図１４】第３の例示的な集積デバイスの上からの断面図である。
【図１５】第４の例示的な集積デバイスの上からの断面透視図である。
【図１６】集積デバイスを提供／製造するための方法の例示的な流れ図である。
【図１７】本明細書で説明される集積デバイス、半導体デバイス、ダイ、集積回路、および／またはプリント回路基板（ＰＣＢ）を組み込み得る様々な電子デバイスを示す図である。
【発明を実施するための形態】
【００１５】
以下の説明では、本開示の様々な態様の完全な理解を提供するために、具体的な詳細が与えられる。しかしながら、態様がこれらの具体的な詳細なしに実施され得ることが、当業者には理解されよう。たとえば、回路は、不必要な詳細で態様を不明瞭にすることを避けるために、ブロック図で示されることがある。他の事例では、周知の回路、構造、および技法は、本開示の態様を不明瞭にしないために、詳細には示されないことがある。
【００１６】
概説
いくつかの新規な特徴は、基板と、基板に結合された第１の配線と、第１の配線を取り囲みグラウンドへの電気的接続を提供するように構成される第２の配線とを含む、集積デバイス（たとえば、パッケージオンパッケージ（ＰｏＰ）集積デバイス）に関連する。第２の配線はプレートを含み得る。集積デバイスは、第１の配線と第２の配線との間に誘電材料を含み得る。モールドは第２の配線を取り囲み得る。第１の配線は、電源信号を第１の方向に伝えるように構成され得る。第２の配線は、グラウンド信号を第２の方向に伝えるように構成され得る。第２の方向は第１の方向と異なり得る。集積デバイスは、少なくともインターポーザ、パッケージデバイス、および／またはＰｏＰデバイスの１つを含み得る。
【００１７】
用語および定義
配線は、２つの点、要素、および／または構成要素間の電気的接続を可能にするかまたは容易にする要素または構成要素である。いくつかの実装形態では、配線は、トレース、ビア、パッド、ピラー、再配線金属層、および／またはアンダーバンプメタライゼーション（ＵＢＭ）層を含み得る。いくつかの実装形態では、配線は、信号（たとえば、データ信号、グラウンド信号、電源信号）のための電気的経路を提供する導電性材料である。配線は、２つ以上の要素／構成要素を含み得る。
【００１８】
ネットリストは、集積デバイスにおける回路の接続性を形成および／または定義する配線のセット、能動素子（たとえば、トランジスタ）のセット、および／または受動素子（たとえば、抵抗、キャパシタ）のセットとして定義される。
【００１９】
第１の例示的な集積デバイス
図３は、第１のパッケージ３０２と第２のパッケージ３０４とを含む集積デバイス３００（たとえば、ＰｏＰ集積デバイス）を示す。第１のパッケージ３０２は、第１の基板３０６と、第１のダイ３０８と、はんだボールの第１のセット３１０と、少なくとも１つの同軸接続３１２とを含み得る。はんだボールの第１のセット３１０は、第１の基板３０６を第１のダイ３０８に電気的に接続し得る。本開示の範囲から逸脱することなく、第１の基板３０６は様々な材料を含み得る。非限定的な例として、第１の基板３０６は、シリコン、ガラス、セラミック、ウェハ、および／または様々な有機材料を含み得る。第１の基板３０６は、電気的配線３１４および３１５と、誘電層３１６とを含み得る。本開示の範囲から逸脱することなく、電気的配線３１４および／または３１５は様々な材料を含み得る。非限定的な例として、電気的配線３１４および／または３１５は銅を含み得る。配線３１４および／または３１５は、１つまたは複数のトレース、ビア、および／またはパッドを含み得る。電気的配線３１４および／または３１５は、第１の基板３０６全体を水平方向および／または垂直方向に横断し、第１の基板３０６と接触する様々な構成要素を電気的に接続し得る。たとえば、電気的配線３１４および／または３１５は、１つまたは複数のはんだボール３１０および１つまたは複数の同軸接続３１２を電気的に接続し得る。電気的配線３１４および／または３１５は、誘電層３１６によって（少なくとも）部分的に取り囲まれ得る。本開示の範囲から逸脱することなく、誘電層３１６は様々な材料を含み得る。非限定的な例として、誘電層３１６は窒化ケイ素（ＳｉＮ）を含み得る。
【００２０】
第２のパッケージ３０４は、第２の基板３１８と、第２のダイ３２０と、はんだボールの第２のセット３２２とを含み得る。はんだボールの第２のセット３２２は、第２の基板３１８を第２のダイ３２０に電気的に接続し得る。本開示の範囲から逸脱することなく、第２の基板３１８は様々な材料を含み得る。非限定的な例として、第２の基板３１８は、シリコン、ガラス、セラミック、ウェハ、および／または様々な有機材料を含み得る。第２の基板３１８は、電気的配線３２４と誘電層３２６とを含み得る。本開示の範囲から逸脱することなく、電気的配線３２４は様々な材料を含み得る。非限定的な例として、電気的配線３２４はＡｌを含み得る。電気的配線３２４は、第２の基板３１８全体を水平方向および／または垂直方向に横断し、第２の基板３１８と接触する様々な構成要素を電気的に接続し得る。たとえば、電気的配線３２４は、１つまたは複数のはんだボール３２２および１つまたは複数の同軸接続３１２を電気的に接続し得る。電気的配線３２４は、誘電層３２６によって（少なくとも）部分的に取り囲まれ得る。本開示の範囲から逸脱することなく、誘電層３２６は様々な材料を含み得る。非限定的な例として、誘電層３２６はＳｉＮを含み得る。
【００２１】
第１の基板３０６と第２の基板３１８との間の空間の任意の部分に、モールド３３４が存在し得る。たとえば、モールド３３４は、同軸接続３１２、はんだボールの第１のセット３１０、および／または第１のダイ３０８を（少なくとも）部分的に取り囲み得る。
【００２２】
同軸接続３１２（たとえば、同軸送信線）は、第１の基板３０６を第２の基板３１８に接続し得る。同軸接続３１２は、第１の配線３２８（たとえば、電源信号を送信するように構成される信号配線）、絶縁材料３３０、および第２の配線３３２（たとえば、グラウンドへの電気的接続を提供する配線）を含み得る。本開示の範囲から逸脱することなく、絶縁材料３３０は様々な材料を含み得る。非限定的な例として、絶縁材料３３０はＳｉＮを含み得る。いくつかの実装形態では、絶縁材料３３０は誘電層である。いくつかの実装形態では、絶縁材料３３０は封入層（たとえば、モールド、エポキシ）であり得る。いくつかの実装形態では、絶縁材料３３０はモールド３３４と同じ材料であり得る。
【００２３】
絶縁材料３３０は、第１の配線３２８の（少なくとも）一部分を取り囲み得る。絶縁材料３３０は、第２の配線３３２から第１の配線３２８を電気的に絶縁し、それにより、第１の配線３２８の信号が第２の配線３３２を通じて短絡するのを防ぐことができる。
【００２４】
第１の配線３２８は、第１の基板３０６を第２の基板３１８に電気的に接続し得る。たとえば、第１の配線３２８は、第１の基板３０６の電気的配線３１４を第２の基板３１８の電気的配線３２４に電気的に接続し得る。第１の配線３２８は、配線３１５にも結合され得る。第１の配線３２８は、第１の方向に、たとえば第１の基板３０６から第２の基板３１８に、電源信号を伝えるように構成され得る。
【００２５】
第２の配線３３２はプレートであり得る。プレートは金属（たとえば、Ａｌ）を含み得る。第２の配線３３２は、グラウンドへの電気的接続を提供するように構成され得る。第２の配線３３２は、絶縁材料３３０の（少なくとも）一部分を取り囲み得る。したがって、第２の配線３３２は、第１の配線３２８の（少なくとも）一部分を取り囲み得る。第２の配線３３２は、グラウンド信号（たとえば、グラウンドに向かう信号）のための電気的経路を第２の方向に提供するように構成され得る。第２の方向は（上で説明された）第１の方向と異なり得る。たとえば、グラウンド信号は、第２の基板３１８から第１の基板３０６に伝えられ得る。グラウンド信号は、当業者には容易に明らかであろう他の方向に伝えられ得る。第２の配線３３２は、配線３１４に電気的に結合され得る。
【００２６】
いくつかの実装形態では、配線３１４および／または第２の配線３３２は、集積デバイスの電力分配網（ＰＤＮ：ｐｏｗｅｒ  ｄｉｓｔｒｉｂｕｔｉｏｎ  ｎｅｔｗｏｒｋ）のための第１のネットリストの一部である。たとえば、配線３１４および／または第２の配線３３２は、集積デバイスのＰＤＮのためのグラウンドネットリストの一部であり得る。
【００２７】
いくつかの実装形態では、配線３１５および／または第１の配線３２８は、集積デバイスの電力分配網（ＰＤＮ）のための第２のネットリストの一部である。たとえば、配線３１５および／または第１の配線３２８は、集積デバイスのＰＤＮのための電源ネットリストまたはデータ信号ネットリストの一部であり得る。
【００２８】
図３に示される断面図は２つの同軸接続３１２（たとえば、左手側の同軸接続３１２および右手側の同軸接続３１２）を示すが、集積デバイス３００はまた、図４に示されるように、追加の同軸接続（たとえば、右手側の同軸接続３１２および／または左手側の同軸接続３１２の後方および／または前方の１つまたは複数の同軸接続）を含み得る。
【００２９】
図４は、第１の例示的な集積デバイス３００における例示的な同軸接続４００の斜視図を示す。いくつかの実装形態では、同軸接続４００は配線手段（たとえば、同軸配線手段）である。例示的な同軸接続４００は、ある行（たとえば、行４１０）の中にいくつかの（たとえば、８個の）個別の同軸接続（たとえば、同軸接続３１２、４０４）を含み得る。しかしながら、本開示の範囲から逸脱することなく、行４１０は１つの同軸接続（たとえば、唯一の同軸接続３１２）しか含まないことがあり、または、数百、数千、または数百万もの同軸接続（またはそれ以上）を含むことがあることを、当業者は理解するであろう。上でより詳細に説明されたように、各同軸接続３１２、４０４は、第１の配線３２８、４０６（たとえば、信号配線）、絶縁材料３３０、４０８、および第２の配線３３２（たとえば、グラウンド配線）を含み得る。第２の配線３３２は、１つまたは複数の同軸接続の間で共有される金属プレートであり得る（たとえば、同軸接続３１２、４０４は同じ第２の配線３３２を共有する）。第２の配線３３２は、同軸接続３１２の第１の配線３２８ならびに同軸接続４０４の第１の配線４０６を取り囲む。上でより詳細に説明されたように、第２の配線３３２は、グラウンドへの電気的接続または経路を提供するように構成され得る。
【００３０】
各同軸接続（たとえば、同軸接続３１２、４０４）は、電源信号とグラウンド信号（たとえば、グラウンドに向かう信号）の両方を伝え得る。図１〜図２に関して上で説明されたように、既存の集積デバイス（たとえば、従来の集積デバイス１００）は、電源信号またはグラウンド信号だけを送信できる基板（たとえば、基板１０６、１１８）の間の接続（たとえば、配線１１２、１１２１−８）を含む。したがって、既存の集積デバイスは、電源信号とグラウンド信号の両方を送信するために少なくとも２つの接続（たとえば、配線１１２１および配線１１２２）を必要とし得る。しかしながら、本開示は、電源信号とグラウンド信号の両方を送信できる同軸接続（たとえば、同軸接続３１２）の様々な例および態様を提供する。
【００３１】
いくつかの実装形態では、第１の配線３２８および配線４０６は、集積デバイスの電力分配網（ＰＤＮ）のための同一のネットリストまたは異なるネットリストの一部であり得る。
【００３２】
いくつかの実装形態では、絶縁材料によって取り囲まれる第１の配線（たとえば、配線３２８、４０６）の少なくとも１つまたは複数は、同軸配線／配線手段（たとえば、同軸配線手段）の内側配線である。いくつかの実装形態では、第２の配線３３２は同軸配線／配線手段（たとえば、同軸配線手段）の外側配線である。いくつかの実装形態では、１つまたは複数の内側配線は電源信号のための第１の電気的経路を提供し、外側配線はグラウンド信号のための第２の電気的経路を提供する。いくつかの実装形態では、第１の配線（たとえば、配線３２８、４０６）、絶縁材料、および／または第２の配線３３２の少なくとも１つまたは複数の組合せは、同軸配線／配線手段（たとえば、同軸配線手段）として動作するように構成される。
【００３３】
第２の例示的な集積デバイス
図５は、第２の例示的な集積デバイス５００の断面図を示す。第２の例示的な集積デバイス５００は同軸接続５０２を含み得る。同軸接続５０２は、第１の基板３０６を第２の基板３１８に接続し得る。基板３０６は、配線３１４、３１５、および５１５を含み得る。配線３１４、３１５、および／または５１５は、１つまたは複数のトレース、ビア、および／またはパッドを含み得る。同軸接続５０２は、２本（またはそれより多く）の第１の配線３２８、５０４（たとえば、電源信号を送信するように構成される信号配線）、絶縁材料３３０、および第２の配線３３２（たとえば、グラウンドへの電気的接続を提供する配線）を含み得る。第１の配線３２８、５０４は、第１の基板３０６を第２の基板３１８に電気的に接続し得る。たとえば、第１の配線３２８、５０４はそれぞれ、第１の基板３０６の電気的配線３１５および５１５を第２の基板３１８の電気的配線３２４に電気的に接続し得る。第１の配線３２８、５０４は、第１の方向に、たとえば第１の基板３０６から第２の基板３１８に、電源信号を伝えるように構成され得る。
【００３４】
絶縁材料３３０は、第１の配線３２８、５０４の（少なくとも）一部分を取り囲み得る。絶縁材料３３０は、第２の配線３３２から第１の配線３２８、５０４を電気的に絶縁し、それにより、第１の配線３２８、５０４の信号が第２の配線３３２を通じて短絡するのを防ぐことができる。各々の第１の配線３２８、５０４を取り囲む絶縁材料３３０は、様々な設計パラメータに基づいて変化し得る。たとえば、第１の配線３２８、５０４における信号の電力および／または電流量は、第１の配線３２８、５０４を取り囲む絶縁材料３３０の種類および／または量に影響を与え得る。
【００３５】
第２の配線３３２は、グラウンドへの電気的接続を提供するように構成され得る。第２の配線３３２はプレートであり得る。プレートは金属（たとえば、Ａｌ）を含み得る。第２の配線３３２は、絶縁材料３３０の（少なくとも）一部分を取り囲み得る。したがって、第２の配線３３２は、第１の配線３２８、５０４の（少なくとも）一部分を取り囲み得る。第２の配線３３２は、グラウンド信号（たとえば、グラウンドに向かう信号）を第２の方向に伝えるように構成され得る。第２の方向は（上で説明された）第１の方向と異なり得る。たとえば、グラウンド信号は、第２の基板３１８から第１の基板３０６に伝えられ得る。グラウンド信号は、当業者には容易に明らかであろう他の方向に伝えられ得る。第２の配線３３２は、第１の配線３１４に電気的に結合され得る。
【００３６】
第１の基板３０６と第２の基板３１８との間の空間の任意の部分に、モールド３３４が存在し得る。たとえば、モールド３３４は、同軸接続５０２、はんだボールの第１のセット３１０、および／または第１のダイ３０８を取り囲み得る。
【００３７】
各同軸接続５０２は、２つ（またはそれより多く）の電源信号（たとえば、第１の配線３２８における電源信号および第１の配線５０４における別の電源信号）ならびにグラウンド信号（たとえば、第２の配線３３２におけるグラウンドに向かう信号）を伝え得る。図１〜図２に関して上で説明されたように、既存の集積デバイス（たとえば、図１〜図２の従来の集積デバイス１００）は、電源信号またはグラウンド信号だけを送信する基板（たとえば、図１〜図２の基板１０６、１１８）の間の接続（たとえば、図１〜図２の配線１１２、１１２１−８）を含む。したがって、既存の集積デバイスは、電源信号とグラウンド信号の両方を送信するために少なくとも２つの接続（たとえば、図２の配線１１２１および配線１１２２）を必要とし得る。しかしながら、本開示は、２つ（またはそれよりも多く）の電源信号とグラウンド信号を送信する同軸接続（たとえば、図５の同軸接続５０２）の様々な例を提供する。
【００３８】
いくつかの実装形態では、配線３１４および／または第２の配線３３２は、集積デバイスの電力分配網（ＰＤＮ）のための第１のネットリストの一部である。たとえば、配線３１４および／または第２の配線３３２は、集積デバイスのＰＤＮのためのグラウンドネットリストの一部であり得る。
【００３９】
いくつかの実装形態では、配線３１５および／または第１の配線３２８は、集積デバイスの電力分配網（ＰＤＮ）のための第２のネットリストの一部である。たとえば、配線３１５および／または第１の配線３２８は、集積デバイスのＰＤＮのための電源ネットリストまたはデータ信号ネットリストの一部であり得る。
【００４０】
いくつかの実装形態では、配線５１５および／または配線５０４は、集積デバイスの電力分配網（ＰＤＮ）のための第３のネットリストの一部である。たとえば、配線５１５および／または配線５０４は、集積デバイスのＰＤＮのための電源ネットリストまたはデータ信号ネットリストの一部であり得る。
【００４１】
いくつかの実装形態では、第２のネットリストおよび第３のネットリストは同じネットリストの一部であるが、いくつかの事例では、第２のネットリストおよび第３のネットリストは異なるネットリストである。
【００４２】
図５に示される断面図は２つの同軸接続５０２（たとえば、左手側の同軸接続５０２および右手側の同軸接続５０２）を示すが、集積デバイス５００はまた、図６に示されるように、追加の同軸接続（たとえば、右手側の同軸接続５０２および／または左手側の同軸接続５０２の後方および／または前方の１つまたは複数の同軸接続）を含み得る。
【００４３】
図６は、第２の例示的な集積デバイス５００における例示的な同軸接続６００の側面透視図である。例示的な同軸接続６００は、ある行（たとえば、行６０４および行６０６）の中にいくつかの（たとえば、８個の）個別の同軸接続（たとえば、同軸接続５０２、６０２）を含み得る。しかしながら、本発明の範囲から逸脱することなく、各行（たとえば、行６０４および／または行６０６）は１つの同軸接続しか含まないことがあり、または、数百もの同軸接続（またはそれ以上）を含むことがあることを、当業者は理解するであろう。上でより詳細に説明されたように、各同軸接続（たとえば、同軸接続５０２）は、２つ（またはそれよりも多く）の第１の配線３２８、５０４（たとえば、信号配線）、絶縁材料３３０、および第２の配線３３２（たとえば、グラウンド配線）を含み得る。第２の配線３３２は、１つまたは複数の同軸接続の間で共有される金属プレートであり得る（たとえば、同軸接続５０２、６０２は同じ第２の配線３３２を共有する）。第２の配線３３２は、同軸接続５０２の第１の配線３２８、５０４、ならびに同軸接続６０２の第１の配線６０８、６１０を取り囲み得る。上でより詳細に説明されたように、第２の配線３３２は、グラウンドへの電気的接続を提供するように構成され得る。
【００４４】
いくつかの実装形態では、絶縁材料によって取り囲まれる第１の配線（たとえば、配線３２８、４０６、６０８、６１０）の少なくとも１つまたは複数は、同軸配線／配線手段（たとえば、同軸配線手段）の内側配線である。いくつかの実装形態では、第２の配線３３２は同軸配線／配線手段（たとえば、同軸配線手段）の外側配線である。いくつかの実装形態では、１つまたは複数の内側配線は電源信号のための第１の電気的経路を提供し、外側配線はグラウンド信号のための第２の電気的経路を提供する。いくつかの実装形態では、第１の配線（たとえば、配線３２８、４０６）、絶縁材料、および／または第２の配線３３２の少なくとも１つまたは複数の組合せは、同軸配線／配線手段（たとえば、同軸配線手段）として動作するように構成される。
【００４５】
同軸接続／配線の例示的な態様
一般に、図７Ａ〜図７Ｄは、同軸接続（たとえば、同軸接続３１２）の様々な態様を示す。具体的には、図７Ａは例示的な同軸接続３１２の上からの断面図を示す。第１の配線３２８は直径７０２を有し得る。たとえば、およそ５０オームという特性インピーダンス値を満たすために、直径７０２は約１０μｍ〜１００μｍという例示的な値を有し得る。第１の配線３２８および絶縁材料３３０は集合的に、直径７０４を有し得る。直径７０４の値の例示的な範囲は、約４０μｍ〜４００μｍである。絶縁材料３３０は、直径７０４と直径７０２との差に等しい厚みを有し得る。絶縁材料３３０の厚みの値の例示的な範囲（たとえば、直径７０４と直径７０２の差）は、（絶縁材料３３０の誘電率に応じて）約３０μｍ〜３００μｍである。
【００４６】
図７Ｂは、例示的な同軸接続３１２の側面透視図を示す。上でより詳細に説明されたように、第１の例示的な同軸接続３１２は、第１の配線３２８と絶縁材料３３０とを含み得る。いくつかの構成では、第１の例示的な同軸接続３１２はまた、絶縁材料３３０の（少なくとも）一部分を取り囲むシールド７１２を含み得る。シールド７１２は、第１の配線３２８および／または絶縁材料３３０に対する構造的および／または機械的な支持を提供し得る。たとえば、シールド７１２は、第１の配線３２８の周りに絶縁材料３３０を保持し得る。
【００４７】
図７Ｃは、例示的な同軸接続３１２の様々な電気的な態様の上面図を示す。上でより詳細に説明されたように、絶縁材料３３０は、２つの配線（たとえば、第１の配線３２８および第２の配線３３２）の間に配置され得る。したがって、誘電材料３３０はある静電容量７２２を有し得る。一般に、静電容量は、配線プレートの表面積（たとえば、第１の配線３２８の周囲の長さおよび第２の配線３３２の周囲の長さ）に正比例し、プレート間の離隔距離（たとえば、上でより詳細に説明されたように、誘電材料３３０の厚み）に反比例する。また、静電容量は、誘電体（たとえば、誘電材料３３０）の誘電率の関数であり得る。
【００４８】
誘電材料３３０は２つの配線（たとえば、第１の配線３２８および第２の配線３３２）の間に位置するので、２つの配線の間（たとえば、第１の配線３２８と第２の配線３３２の間）には磁場７２４が存在し得る。たとえば、第１の配線３２８における電流が下方向に（たとえば、ページに向かって）流れる場合、磁場７２４は図７Ｃに示されるように時計回りの方向となる。磁場７２４の値は、アンペールの法則などの当業者に知られている様々な方法を使用して決定され得る。
【００４９】
図７Ｄは、例示的な同軸接続３１２の様々な電気的な態様の側面図を示す。第１の配線３２８は、電気信号（たとえば、電源信号）を第１の方向７３２に（たとえば、上から下に）伝えるように構成され得る。第２の配線３３２（図７Ａ、図７Ｃ参照）は、電気信号（たとえば、グラウンドに向かう信号などのグラウンド信号）を第２の方向７３４に（たとえば、下から上に）伝えるように構成され得る。図７Ｄに示されるように、第２の方向７３４は第１の方向７３２と異なり得る。上でより詳細に説明されたように、誘電材料３３０は静電容量７２２を有することがあり、第１の配線３２８と第２の配線３３２の間には磁場７２４が存在することがある（図７Ａ、図７Ｃ参照）。
【００５０】
第１の例示的な集積デバイスにおいて例示的な同軸接続を提供／製造するための例示的なシーケンス
図８は、第１の例示的な集積デバイス３００における例示的な同軸接続４００を提供／製造するための第１の例示的なシーケンス８００を示す。シーケンス８００は様々な段階を含み得る。図８に示される段階の一部の順序は、本開示の範囲から逸脱することなく変更され得ることを、当業者は理解するだろう。いくつかの実装形態では、いくつかの段階が単一の段階へと組み合わされ得る。下で言及される様々な要素の詳細な説明が上で与えられているので、繰り返されない。
【００５１】
図８の段階１は、配線（たとえば、第２の配線３３２）が設けられた後の状態を示す。第２の配線３３２は、１つまたは複数の穴８０２を含み得る。
【００５２】
段階２は、別の配線（たとえば、第１の配線３２８）がメッキ処理を使用して基板（たとえば、基板３０６）の上に（たとえば、上面に）設けられた後の状態を示す。メッキ処理は、導電性材料の複数のレイヤを互いの上面に設けて、基板３０６から上方に延びる柱またはピラー様の形状を生成することを含み得る。この例ではメッキ処理に言及するが、本開示の範囲から逸脱することなく、基板３０６の上に第１の配線３２８を設けるために様々な技法が使用され得ることを、当業者は理解するだろう。いくつかの実装形態では、基板が設けられ（たとえば、形成され）、配線３２８を形成するようにメッキ処理が実行される。提供される基板は、１つまたは複数の配線（たとえば、トレース、ビア、パッド）を含み得る。
【００５３】
段階３は、第１の配線３２８が第２の配線３３２の穴８０２を貫通して／その内側に配置されるように、第２の配線３３２が基板３０６の上に（たとえば、上面に）設けられた後の状態を示す。その後、第１の配線３２８と第２の配線３３２との間に少なくともいくらかの空間８０４が存在し得る。
【００５４】
段階４は、誘電材料３３０が第１の配線３２８と第２の配線３３２との間の空間８０４に設けられた後の状態を示す。
【００５５】
段階５は、モールド３３４（たとえば、封入モールド）が設けられた後の状態を示す。モールド３３４は、第２の配線３３２の（少なくとも）一部分を取り囲み得る。モールド３３４は、第１の配線３２８、絶縁材料３３０、および／または第２の配線３３２に対する構造的／機械的な支持を提供し得る。いくつかの実装形態では、段階４は任意選択であってよく、モールド３３４は空間８０４の中に設けられてよい。
【００５６】
第１および第２の例示的な集積デバイスを提供／製造するための例示的なシーケンス
図９は、第１の例示的な集積デバイス３００を提供／製造するための例示的なシーケンス９００を示す。シーケンス９００は様々な段階を含み得る。図９に示される段階の一部の順序は、本開示の範囲から逸脱することなく変更され得ることを、当業者は理解するだろう。その上、いくつかの実装形態では、いくつかの段階が単一の段階として表され得る。下で言及される様々な要素の詳細な説明が上で与えられているので、繰り返されない。
【００５７】
図９の段階１は、基板（たとえば、基板３０６）が設けられた後の状態を示す。基板は誘電層と配線（たとえば、トレース、ビア、パッド）とを含む。
【００５８】
段階２は、上でより詳細に説明されたように、メッキ処理を使用して配線（たとえば、第１の配線３２８）が基板３０６の上に（たとえば、上面に）設けられた後の状態を示す。本開示の範囲から逸脱することなく、基板３０６の上に第１の配線３２８を設けるために様々な技法が使用され得ることを、当業者は理解するだろう。
【００５９】
段階３は、別の配線（たとえば、第２の配線３３２）が基板３０６の上に（たとえば、上面に）設けられ得る後の状態を示す。いくつかの構成では、第２の配線３３２は穴を伴う金属プレートである。第１の配線３２８と第２の配線３３２との間に少なくともいくらかの空間８０４が存在し得る。
【００６０】
段階４は、誘電材料３３０が第１の配線３２８と第２の配線３３２との間の空間８０４に設けられた後の状態を示す。
【００６１】
段階５は、ダイ３０８が基板に設けられた（たとえば、結合された）後の状態を示す。段階５において示されるように、ダイ３０８は、はんだボールのセット３１０に結合される。はんだボールのセット３１０は、基板３０６の配線に結合される。ダイ３０８は、はんだボールのセット３１０との電気的接続と基板３０６の配線とを形成し得る。いくつかの実装形態では、ダイ３０８は、配線３２８および／または３３２が基板上に設けられる（たとえば、形成される）前に設けられてよく、基板に結合されてよい。
【００６２】
段階６は、モールド３３４（たとえば、封入モールド）が設けられた後の状態を示す。モールド３３４は、第１の配線３２８、第２の配線３３２、誘電材料３３０、はんだボールのセット３１０、および／またはダイ３０８の（少なくとも）一部分を取り囲み得る。モールド３３４は、第１の配線３２８、第２の配線３３２、誘電材料３３０、はんだボールのセット３１０、および／またはダイ３０８に対する構造的および／または機械的な支持を提供し得る。
【００６３】
図１０は、第１の例示的な集積デバイス３００の上からの断面図を示す。集積デバイス３００は、ダイ３０８の１つまたは複数の側部の行４１０の中に１つまたは複数の同軸接続３１２を含み得る。各同軸接続３１２は、第１の配線３２８、第１の配線３２８を取り囲む第２の配線３３２、および第１の配線３２８と第２の配線３３２との間の絶縁材料３３０を含み得る。同軸接続３１２の行４１０は、モールド３３４によって取り囲まれ得る。上で言及された様々な要素の詳細な説明がすでに本明細書で与えられているので、繰り返されない。
【００６４】
図１１は、第２の例示的な集積デバイス５００の上からの透視図を示す。集積デバイス５００は、ダイ３０８の１つまたは複数の側部の行６０４、６０６の中に同軸接続５０２の１つまたは複数を含み得る。各同軸接続５０２は、第１の配線３２８、５０４、第１の配線３２８、５０４を取り囲む第２の配線３３２、および第１の配線３２８、５０４と第２の配線３３２との間の絶縁材料３３０を含み得る。同軸接続５０２の行６０４、６０６は、モールド３３４によって取り囲まれ得る。上で言及された様々な要素の詳細な説明がすでに本明細書で与えられているので、繰り返されない。
【００６５】
第３の例示的な集積デバイスにおいて例示的な同軸接続を提供／製造するための例示的なシーケンス
図１２は、第３の例示的な集積デバイス（たとえば、図１４に示される集積デバイス１４００）における例示的な同軸接続を提供／製造するための例示的なシーケンス１２００を示す。シーケンス１２００は様々な段階を含み得る。いくつかの実装形態では、いくつかの段階が単一の段階として表され得る。図１２に示される段階の一部の順序は、本開示の範囲から逸脱することなく変更され得ることを、当業者は理解するだろう。下で言及される様々な要素の詳細な説明が上で与えられているので、繰り返されない。
【００６６】
図１２の段階１は、配線（たとえば、第２の配線３３２）が設けられた後の状態を示す。第２の配線３３２は、１つまたは複数の穴８０２を含み得る。
【００６７】
段階２は、別の配線（たとえば、第１の配線１２０２）が基板（たとえば、基板３０６）の上に設けられた後の状態を示す。いくつかの実施態様では、配線１２０２はワイヤボンドである。第１の配線１２０２は、ワイヤボンディング処理を使用して基板３０６の上に（たとえば、上面に）設けられ得る。本開示の範囲から逸脱することなく、様々なタイプのワイヤボンディングが実施され得る。たとえば、「ワイヤボンディング」は、ボールボンディング、ウェッジボンディング、および／またはコンプライアントボンディングを指し得る。ワイヤボンディング処理は、第１の配線１２０２の丸まった端部（たとえば、第１の配線１２０２の下端におけるはんだボール状の部分）と、その丸まった端部の上方に延びる垂直な部分とを生成し得る。この例ではワイヤボンディング処理に言及するが、本開示の範囲から逸脱することなく、基板３０６の上に第１の配線１２０２を設けるために様々な他の技法が使用され得ることを、当業者は理解するだろう。
【００６８】
段階３は、第１の配線１２０２が第２の配線３３２の穴８０２を貫通して／その内側に配置されるように、第２の配線３３２が基板３０６の上に（たとえば、上面に）設けられた後の状態を示す。その後、第１の配線１２０２と第２の配線３３２との間に少なくともいくらかの空間８０４が存在し得る。
【００６９】
段階４は、誘電材料３３０が第１の配線３２８と第２の配線３３２との間の空間８０４に設けられた後の状態を示す。例示的な同軸接続１２０４は、第１の配線１２０２、絶縁材料３３０、および第２の配線３３２を含む。いくつかの実装形態では、同軸接続１２０４はいくつかの第１の配線を含み得る。
【００７０】
段階５は、モールド３３４（たとえば、封入モールド）が設けられた後の状態を示す。モールド３３４は、第２の配線３３２の（少なくとも）一部分を取り囲み得る。モールド３３４は、第１の配線１２０２、絶縁材料３３０、および／または第２の配線３３２に対する構造的／機械的な支持を提供し得る。
【００７１】
いくつかの実装形態では、絶縁材料８０４によって取り囲まれる第１の配線（たとえば、配線１２０２）の少なくとも１つまたは複数は、同軸配線／配線手段（たとえば、同軸配線手段）の内側配線である。いくつかの実装形態では、第２の配線３３２は同軸配線／配線手段（たとえば、同軸配線手段）の外側配線である。いくつかの実装形態では、１つまたは複数の内側配線は電源信号のための第１の電気的経路を提供し、外側配線はグラウンド信号のための第２の電気的経路を提供する。いくつかの実装形態では、第１の配線（たとえば、配線１２０２）、絶縁材料８０４、および／または第２の配線３３２の少なくとも１つまたは複数の組合せは、同軸配線／配線手段（たとえば、同軸配線手段）として動作するように構成される。
【００７２】
第３および第４の例示的な集積デバイスを提供／製造するための例示的なシーケンス
図１３は、第３の例示的な集積デバイス（たとえば、図１４に示される集積デバイス１４００）を提供／製造するための例示的なシーケンス１３００を示す。シーケンス１３００は様々な段階を含み得る。図１３に示される段階の一部の順序は、本開示の範囲から逸脱することなく変更され得ることを、当業者は理解するだろう。下で言及される様々な要素の詳細な説明が上で与えられているので、繰り返されない。
【００７３】
図１３の段階１は、基板（たとえば、基板３０６）が設けられた後の状態を示す。基板は誘電層と１つまたは複数の配線（たとえば、トレース、ビア、パッド）とを含み得る。
【００７４】
段階２は、上でより詳細に説明されたように、ワイヤボンディング処理を使用して配線（たとえば、第１の配線１２０２）が基板３０６の上に（たとえば、上面に）設けられた後の状態を示す。いくつかの実施態様では、配線１２０２はワイヤボンドである。本開示の範囲から逸脱することなく、基板３０６の上に第１の配線１２０２を設けるために様々な技法が使用され得ることを、当業者は理解するだろう。
【００７５】
段階３は、別の配線（たとえば、第２の配線３３２）が基板３０６の上に（たとえば、上面に）設けられた後の状態を示す。第２の配線３３２は穴を伴う金属プレートであり得る。第１の配線１２０２と第２の配線３３２との間に少なくともいくらかの空間８０４が存在し得る。
【００７６】
段階４は、誘電材料３３０が第１の配線１２０２と第２の配線３３２との間の空間８０４に設けられた後の状態を示す。
【００７７】
段階５は、ダイ３０８が基板に設けられた（たとえば、結合された）後の状態を示す。段階５において示されるように、ダイ３０８は、はんだボールのセット３１０に結合される。はんだボールのセット３１０は、基板３０６の配線に結合される。ダイ３０８は、はんだボールのセット３１０との電気的接続と基板３０６の配線とを形成し得る。
【００７８】
段階６は、モールド３３４（たとえば、封入モールド）が設けられ得る後の状態を示す。モールド３３４は、第２の配線３３２の（少なくとも）一部分を取り囲み得る。モールド３３４は、第１の配線３２８、第２の配線１２０２、誘電材料３３０、はんだボールのセット３１０、および／またはダイ３０８に対する構造的／機械的な支持を提供し得る。
【００７９】
いくつかの実装形態では、絶縁材料８０４によって取り囲まれる第１の配線（たとえば、配線１２０２）の少なくとも１つまたは複数は、同軸配線／配線手段（たとえば、同軸配線手段）の内側配線である。いくつかの実装形態では、第２の配線３３２は同軸配線／配線手段（たとえば、同軸配線手段）の外側配線である。いくつかの実装形態では、１つまたは複数の内側配線は電源信号のための第１の電気的経路を提供し、外側配線はグラウンド信号のための第２の電気的経路を提供する。いくつかの実装形態では、第１の配線（たとえば、配線１２０２）、絶縁材料８０４、および／または第２の配線３３２の少なくとも１つまたは複数の組合せは、同軸配線／配線手段（たとえば、同軸配線手段）として動作するように構成される。
【００８０】
いくつかの実装形態では、配線３３２および／または基板３０６中の配線は、集積デバイスの電力分配網（ＰＤＮ）のための第１のネットリストの一部である。たとえば、配線３３２および／または基板３０６中の配線は、集積デバイスのＰＤＮのためのグラウンドネットリストの一部であり得る。
【００８１】
いくつかの実装形態では、配線１２０２および／または基板３０６中の別の配線は、集積デバイスの電力分配網（ＰＤＮ）のための第２のネットリストの一部である。たとえば、配線１２０２および／または基板３０６中の別の配線は、集積デバイスのＰＤＮのための電源ネットリストまたはデータ信号ネットリストの一部であり得る。
【００８２】
いくつかの実装形態では、配線１２０２（たとえば、ワイヤボンド）の少なくともいくつかは、ＰＤＮの同じネットリストの一部であり得る。いくつかの実装形態では、配線１２０２（たとえば、ワイヤボンド）の少なくともいくつかは、ＰＤＮの同じネットリストの一部であり得る。
【００８３】
図１４は、第３の例示的な集積デバイス１４００の上からの断面図を示す。第３の例示的な集積デバイス１４００は、ダイ３０８の１つまたは複数の側部の行１４０２の中に１つまたは複数の同軸接続１２０４を含み得る。各同軸接続１２０４は、第１の配線１２０２、第１の配線１２０２を取り囲む第２の配線３３２、および第１の配線１２０２と第２の配線３３２との間の絶縁材料３３０を含み得る。同軸接続１２０４の行１４０２は、モールド３３４によって取り囲まれ得る。上で言及された様々な要素の詳細な説明がすでに本明細書で与えられているので、繰り返されない。
【００８４】
図１５は、第４の例示的な集積デバイス１５００の上からの断面図を示す。第４の例示的な集積デバイス１５００は、ダイ３０８の１つまたは複数の側部の行１５０６、１５０８の中に同軸接続１５０２の１つまたは複数のセットを含み得る。各同軸接続１５０２は、第１の配線１２０２、１５０４、第１の配線１２０２、１５０４を取り囲む第２の配線３３２、および第１の配線１２０２、１５０４と第２の配線３３２との間の絶縁材料３３０を含み得る。同軸接続１５０２の行１５０６、１５０８は、モールド３３４によって取り囲まれ得る。上で言及された様々な要素の詳細な説明がすでに本明細書で与えられているので、繰り返されない。
【００８５】
同軸接続を含む集積デバイスを提供／製造するための例示的な方法
図１６は、同軸接続を含む集積デバイスを提供／製造するための例示的な方法の例示的な流れ図を示す。例示的な方法は、上に示された集積デバイスの任意の１つまたは複数を提供／製造することができる。図１６に示されるブロックの一部の順序は、本開示の範囲から逸脱することなく変更され得ることを、当業者は理解するだろう。また、図１６に示されるブロックの任意の１つまたは複数が、本開示の範囲から逸脱することなく組み合わされ得ることも、当業者は理解するだろう。任意選択のブロックは、破線の中で示されている。下で言及される様々な要素の詳細な説明が上で与えられているので、繰り返されない。本明細書で説明される例示的な方法は、装置（たとえば、製造デバイス）によって実行され得る。
【００８６】
ブロック１６０２において、装置は基板の上に（たとえば、上面に）第１の配線を設ける（たとえば、形成する）ことができる。たとえば、図８の段階２を参照すると、第１の配線３２８が基板３０６の上に設けられ得る（たとえば、形成され得る）。上でより詳細に説明されたように、第１の配線３２８は様々な技法を使用して基板３０６の上に設けられ得る（たとえば、形成され得る）。上でより詳細に説明されたように、そのような技法の例はメッキ処理である。したがって、基板の上に第１の配線を設けることは、基板３０６の上に第１の配線３２８をメッキすることを含み得る（たとえば、図８参照）。上でより詳細に説明されたように、そのような技法の別の例はワイヤボンディング処理である。したがって、基板の上に第１の配線を設けることは、基板３０６の上に第１の配線１２０２をワイヤボンディングすることを含み得る（たとえば、図１２参照）。基板の上に第１の配線を設けるための代替的な技法が当業者に知られており、したがって本開示の範囲内にある。
【００８７】
ブロック１６０４において、装置は基板の上に第２の配線を設ける（たとえば、形成する）ことができる。第２の基板は、第１の配線を取り囲み、グラウンドへの接続を提供するように構成され得る。たとえば、図８の段階３を参照すると、装置は基板３０６の上に第２の配線３３２を設け得る（たとえば、形成し得る）。いくつかの構成では、第２の配線３３２は穴８０２を含む金属プレートであり得る。第１の配線３２８は、第２の配線３３２の穴８０２の内側に／それを貫通して設けられ得る（たとえば、配置され得る）。図７Ａ、図７Ｃに示されるように、第２の配線３３２は第１の配線３２８を取り囲む。第２の配線３３２は、グラウンドへの電気的接続を提供するように構成され得る。
【００８８】
ブロック１６０６において、装置は、第１の配線と第２の配線との間に誘電材料を設け得る（たとえば、形成し得る）。たとえば、図８の段階３を（再び）参照すると、第１の配線３２８と第２の配線３３２との間に少なくともいくらかの空間８０４が存在し得る。図８の段階４に示されるように、誘電材料３３０は、第１の配線３２８と第２の配線３３２との間の空間８０４に設けられ得る（たとえば、形成され得る）。
【００８９】
ブロック１６０８において、装置は第２の配線を取り囲む封入モールドを設け得る（たとえば、形成し得る）。たとえば、図８の段階５を参照すると、モールド３３４が第２の配線３３２を取り囲んで設けられ得る（たとえば、形成され得る）。モールド３３４は、第１の配線３２８、第１の配線３２８を取り囲む第２の配線３３２、および／または第１の配線３２８と第２の配線３３２との間の絶縁材料３３０に対する機械的および／または構造的な支持を提供し得る。
【００９０】
例示的な電子デバイス
図１７は、上述の集積デバイス、半導体デバイス、集積回路、ダイ、インターポーザ、および／またはパッケージのいずれかと統合され得る様々な電子デバイスを示す。たとえば、携帯電話１７０２、ラップトップコンピュータ１７０４、および固定位置端末１７０６が、本明細書で説明される集積デバイス１７００を含み得る。集積デバイス１７００は、たとえば、本明細書で説明される集積回路、ダイ、インターポーザ、またはパッケージのいずれかであってよい。図１７に示されるデバイス１７０２、１７０４、１７０６は例にすぎない。他の電子デバイスはまた、限定はされないが、モバイルデバイス、ハンドヘルドパーソナル通信システム（ＰＣＳ）ユニット、携帯情報端末などのポータブルデータユニット、ＧＰＳ対応デバイス、ナビゲーションデバイス、セットトップボックス、音楽プレーヤ、ビデオプレーヤ、エンターテイメントユニット、メータ読取り機器などの固定位置データユニット、通信デバイス、スマートフォン、タブレットコンピュータ、またはデータもしくはコンピュータ命令を記憶し、もしくは取り出す任意の他のデバイス、またはそれらの任意の組合せを含む、集積デバイス１７００を特徴とし得る。
【００９１】
図３、図４、図５、図６、図７Ａ、図７Ｂ、図７Ｃ、図７Ｄ、図８、図９、図１０、図１１、図１２、図１３、図１４、図１５、および／もしくは図１６に示される構成要素、ステップ、特徴、および／または機能の１つまたは複数は、単一の構成要素、ステップ、特徴もしくは機能へと再構成され、および／もしくは組み合わされ、または、いくつかの構成要素、ステップ、もしくは機能で具現化され得る。追加の要素、構成要素、ステップ、および／または機能も、本開示から逸脱することなく追加され得る。本開示における図３、図４、図５、図６、図７Ａ、図７Ｂ、図７Ｃ、図７Ｄ、図８、図９、図１０、図１１、図１２、図１３、図１４、図１５、および／または図１６と、その対応する説明とは、ダイおよび／または（集積回路）ＩＣに限定されない。いくつかの実装形態では、図３、図４、図５、図６、図７Ａ、図７Ｂ、図７Ｃ、図７Ｄ、図８、図９、図１０、図１１、図１２、図１３、図１４、図１５、および／または図１６と、その対応する説明とは、集積デバイスを製造し、作製し、設け、かつ／または生産するために使用され得る。いくつかの実施態様では、集積デバイスは、ダイパッケージ、ＩＣ、ウェハ、半導体デバイス、および／またはインターポーザを含み得る。
【００９２】
「例示的」という単語は、本明細書では、「例、事例、または例示として機能する」ことを意味するために使用される。「例示的」として本明細書で説明された任意の実装形態または態様は、必ずしも本開示の他の態様よりも好ましいまたは有利であると解釈されるべきではない。同様に、「態様」という用語は、本開示のすべての態様が議論される特徴、利点、または動作のモードを含むことを要求するものではない。「結合された」という用語は、本明細書では、２つの物体間の直接的または間接的な結合を指すために使用される。たとえば、物体Ａが物体Ｂに物理的に接触し、物体Ｂが物体Ｃに接触する場合、物体Ａと物体Ｃとは、互いに物理的に直接接触していない場合でも、それでも互いに結合されていると見なされ得る。
【００９３】
また、実施形態は、フローチャート、流れ図、構造線図またはブロック図として描かれているプロセスとして記述され得ることに留意されたい。フローチャートは、動作を逐次プロセスとして説明し得るが、動作の多くは、並列にまたは同時に実行され得る。加えて、動作の順序は並べ替えられ得る。プロセスは、その動作が完了したとき、終了される。
【００９４】
本明細書で説明される本開示の様々な特徴は、本開示から逸脱することなく様々なシステムにおいて実装され得る。本開示の上記の態様は例にすぎず、本開示を限定するものとして解釈されるべきではないことに留意されたい。本開示の態様の説明は、例示的であることを意図しており、特許請求の範囲を限定することを意図していない。したがって、本教示は、他のタイプの装置に容易に適用されることが可能であり、多くの代替、修正、および変形が当業者には明らかとなろう。
【符号の説明】
【００９５】
１００  従来の集積デバイス
１０２  第１のパッケージ
１０４  第２のパッケージ
１０６  第１の基板
１０８  第１のダイ
１１０  はんだボール
１１２  配線
１１４  電気的配線
１１６  誘電層
１１８  第２の基板
１２０  第２のダイ
１２２  はんだボール
１２４  電気的配線
１２６  線
１２８  誘電層
３００  集積デバイス
３０２  第１のパッケージ
３０４  第２のパッケージ
３０６  第１の基板
３０８  第１のダイ
３１０  はんだボール
３１２  同軸接続
３１４  電気的配線
３１５  電気的配線
３１６  誘電層
３１８  第２の基板
３２０  第２のダイ
３２２  はんだボール
３２４  電気的配線
３２６  誘電層
３２８  第１の配線
３３０  絶縁材料
３３２  第２の配線
３３４  モールド
４００  例示的な同軸接続
４０４  同軸接続
４０６  第１の配線
４０８  絶縁材料
４１０  行
５００  第２の例示的な集積デバイス
５０２  同軸接続
５０４  第１の配線
５１５  配線
６００  例示的な同軸接続
６０２  同軸接続
６０４  行
６０６  行
６０８  第１の配線
６１０  第１の配線
７０２  直径
７０４  直径
７１２  シールド
７２２  静電容量
７２４  磁場
７３２  第１の方向
７３４  第２の方向
８００  第１の例示的なシーケンス
８０２  穴
８０４  空間
９００  例示的なシーケンス
１２００  例示的なシーケンス
１２０２  配線
１２０４  同軸接続
１３００  例示的なシーケンス
１４００  第３の例示的な集積デバイス
１４０２  行
１５００  第４の例示的な集積デバイス
１５０２  同軸接続
１５０４  第１の配線
１５０６  行
１５０８  行
１７００  集積デバイス
１７０２  デバイス
１７０４  デバイス
１７０６  デバイス
【図１】
0006802146.tif 000002
【図２】
0006802146.tif 000003
【図３】
0006802146.tif 000004
【図４】
0006802146.tif 000005
【図５】
0006802146.tif 000006
【図６】
0006802146.tif 000007
【図７Ａ】
0006802146.tif 000008
【図７Ｂ】
0006802146.tif 000009
【図７Ｃ】
0006802146.tif 000010
【図７Ｄ】
0006802146.tif 000011
【図８】
0006802146.tif 000012
【図９】
0006802146.tif 000013
【図１０】
0006802146.tif 000014
【図１１】
0006802146.tif 000015
【図１２】
0006802146.tif 000016
【図１３】
0006802146.tif 000017
【図１４】
0006802146.tif 000018
【図１５】
0006802146.tif 000019
【図１６】
0006802146.tif 000020
【図１７】
0006802146.tif 000021